(57)【要約】【課題】１つの公衆回線をファクシミリ装置と電話機とで共用している場合は、ファクシミリ装置及び電話機の両方で発信者番号通知サービスを利用することができない。【解決手段】ファクシミリ装置１は、制御部１０と、第１、第２リレー２４，２７、フック検出部２３、給電部２５及び呼出信号検出部２６を有するＮＣＵ２０と、を備えている。制御部１０は、第１リレー２４により電話機４３と公衆回線４１とを遮断した状態において、呼出信号検出部２６が呼出信号を検出した場合に、第１リレー２４により電話機４３と公衆回線４１とを接続し、電話機４３による発信者番号取得制御の監視を開始し、その発信者番号取得制御の開始を検出した場合に第２リレー２７にてモデム３１を公衆回線４１に接続し、その公衆回線４１を介して交換機４２から送られてくる発信者番号情報を受信する。【選択図】図１
2016116005.tif 000002
【特許請求の範囲】
【請求項１】
電話回線と外付けの電話機とを接続／遮断する第１接続手段と、
前記電話回線とファクシミリ通信部とを接続／遮断する第２接続手段と、
前記電話機のフック状態を検出するフック検出手段と、
前記第１接続手段によって前記電話機と前記電話回線とが遮断された場合に、前記電話機のフック状態を検出可能にするための電源電圧を供給する電源供給手段と、
交換機から前記電話回線を介して送られてくる呼出信号を検出する呼出信号検出手段と、
前記第１接続手段、前記第２接続手段、前記フック検出手段、前記電源供給手段、及び前記呼出信号検出手段を制御する制御部と、
を備えるファクシミリ装置であって、
前記制御部は、
前記第１接続手段により前記電話機と前記電話回線とを遮断させた状態において、前記呼出信号検出手段が前記呼出信号を検出した場合に、前記第１接続手段により前記電話機と前記電話回線とを接続させ、前記電話機による発信者番号取得制御の監視を開始し、前記発信者番号取得制御の開始を検出した場合に前記第２接続手段にて前記ファクシミリ通信部を前記電話回線に接続させ、前記交換機から前記電話回線を介して送られてくる発信者番号情報を前記ファクシミリ通信部に受信させることを特徴とするファクシミリ装置。
【請求項２】
前記制御部は、更に、
前記電話機による前記発信者番号取得制御の監視を開始した後、所定時間が経過しても前記電話機による前記発信者番号取得制御の開始を検出できない場合に、前記第１接続手段により前記電話機と前記電話回線とを遮断させ、前記第２接続手段にて前記ファクシミリ通信部を前記電話回線に接続させた後、前記発信者番号取得制御を実施し、前記発信者番号情報を前記ファクシミリ通信部に受信させることを特徴とする請求項１記載のファクシミリ装置。
【請求項３】
前記呼出信号検出手段にて検出する前記呼出信号とは、情報受信端末起動信号であることを特徴とする請求項１又は２項記載のファクシミリ装置。
【請求項４】
前記ファクシミリ通信部は、変調復調装置であることを特徴とする請求項１〜３のいずれか１項記載のファクシミリ装置。
【請求項５】
電話回線と外付けの電話機とを接続／遮断する第１接続手段と、
前記電話回線とファクシミリ通信部とを接続／遮断する第２接続手段と、
前記電話機のフック状態を検出するフック検出手段と、
前記第１接続手段によって前記電話機と前記電話回線とが遮断された場合に、前記電話機のフック状態を検出可能にするための電源電圧を供給する電源供給手段と、
交換機から前記電話回線を介して送られてくる呼出信号を検出する呼出信号検出手段と、
前記第１接続手段、前記第２接続手段、前記フック検出手段、前記電源供給手段、及び前記呼出信号検出手段を制御する制御部と、
を備えるファクシミリ装置の発信者番号取得方法であって、
前記制御部は、
前記第１接続手段により前記電話機と前記電話回線とを遮断させた状態において、前記呼出信号検出手段が前記呼出信号を検出した場合に、前記第１接続手段により前記電話機と前記電話回線とを接続させる処理と、
前記電話機による発信者番号取得制御の監視を開始し、前記発信者番号取得制御の開始を検出した場合に前記第２接続手段にて前記ファクシミリ通信部を前記電話回線に接続させる処理と、
前記交換機から前記電話回線を介して送られてくる発信者番号情報を前記ファクシミリ通信部に受信させる処理と、
を有することを特徴とするファクシミリ装置の発信者番号取得方法。
【請求項６】
前記制御部は、更に、
前記電話機による前記発信者番号取得制御の監視を開始した後、所定時間が経過しても前記電話機による前記発信者番号取得制御の開始を検出できない場合に、前記第１接続手段により前記電話機と前記電話回線とを遮断させる処理と、
前記第２接続手段にて前記ファクシミリ通信部を前記電話回線に接続させた後、前記発信者番号取得制御を実施し、前記発信者番号情報を前記ファクシミリ通信部に受信させる処理と、
を有することを特徴とする請求項５記載のファクシミリ装置。
【発明の詳細な説明】
【技術分野】
【０００１】
本発明は、ファクシミリ装置とそのファクシミリ装置の発信者番号取得方法とに関するものである。
【背景技術】
【０００２】
従来、特許文献１等において、加入電話回線交換網が提供する発信者番号通知サービスを利用して発信者の電話番号を取得し、記録すると共に予め登録された発信者番号と一致しない発信者からの呼び出しに応答しない着信拒否機能を有するファクシミリ装置が知られている。又、電話機にも、発信者番号通知サービスを利用して同様な機能を有するものがある。
【先行技術文献】
【特許文献】
【０００３】
【特許文献１】特開２０００−１５６７４４号公報
【発明の概要】
【発明が解決しようとする課題】
【０００４】
しかしながら、従来のファクシミリ装置では、次のような課題があった。
発信者番号通知サービスを利用可能なファクシミリ装置に、発信者番号通知サービスを利用可能な電話機を外付け電話として接続し、１つの電話回線をファクシミリ装置と電話機とで共用している場合は、発信者番号取得制御が競合するため、ファクシミリ装置及び電話機の両方の端末で発信者番号通知サービスを利用することができない。
【課題を解決するための手段】
【０００５】
本発明のファクシミリ装置は、電話回線と外付けの電話機とを接続／遮断する第１接続手段と、前記電話回線とファクシミリ通信部とを接続／遮断する第２接続手段と、前記電話機のフック状態を検出するフック検出手段と、前記第１接続手段によって前記電話機と前記電話回線とが遮断された場合に、前記電話機のフック状態を検出可能にするための電源電圧を供給する電源供給手段と、交換機から前記電話回線を介して送られてくる呼出信号を検出する呼出信号検出手段と、前記第１接続手段、前記第２接続手段、前記フック検出手段、前記電源供給手段、及び前記呼出信号検出手段を制御する制御部と、を備えている。
【０００６】
そして、前記制御部は、前記第１接続手段により前記電話機と前記電話回線とを遮断させた状態において、前記呼出信号検出手段が前記呼出信号を検出した場合に、前記第１接続手段により前記電話機と前記電話回線とを接続させ、前記電話機による発信者番号取得制御の監視を開始し、前記発信者番号取得制御の開始を検出した場合に前記第２接続手段にて前記ファクシミリ通信部を前記電話回線に接続させ、前記交換機から前記電話回線を介して送られてくる発信者番号情報を前記ファクシミリ通信部に受信させることを特徴とする。
【０００７】
本発明におけるファクシミリ装置の発信者番号取得方法は、電話回線と外付けの電話機とを接続／遮断する第１接続手段と、前記電話回線とファクシミリ通信部とを接続／遮断する第２接続手段と、前記電話機のフック状態を検出するフック検出手段と、前記第１接続手段によって前記電話機と前記電話回線とが遮断された場合に、前記電話機のフック状態を検出可能にするための電源電圧を供給する電源供給手段と、交換機から前記電話回線を介して送られてくる呼出信号を検出する呼出信号検出手段と、前記第１接続手段、前記第２接続手段、前記フック検出手段、前記電源供給手段、及び前記呼出信号検出手段を制御する制御部と、を備えるファクシミリ装置１の発信者番号取得方法である。
【０００８】
そして、前記制御部は、前記第１接続手段により前記電話機と前記電話回線とを遮断させた状態において、前記呼出信号検出手段が前記呼出信号を検出した場合に、前記第１接続手段により前記電話機と前記電話回線とを接続させる処理と、前記電話機による発信者番号取得制御の監視を開始し、前記発信者番号取得制御の開始を検出した場合に前記第２接続手段にて前記ファクシミリ通信部を前記電話回線に接続させる処理と、前記交換機から前記電話回線を介して送られてくる発信者番号情報を前記ファクシミリ通信部に受信させる処理と、を有することを特徴とする。
【発明の効果】
【０００９】
発明のファクシミリ装置及びその発信者番号取得方法によれば、外付け電話として接続された電話機に発信者番号取得制御を実行させ、電話機と電話回線との間で実行される発信者番号取得シーケンスを監視し、交換機から電話回線を介して送られてくる発信者番号情報を、電話機と並列に接続されたファクシミリ通信部にて受信を行うようにしている。これにより、ファクシミリ装置と電話機の双方で発信者情報の取得が可能になる。更に、外付け電話として接続された電話機が発信者番号取得制御を実行しない場合は、ファクシミリ装置が発信者番号取得制御を行うことで、発信者情報の確実な取得が可能になる。
【図面の簡単な説明】
【００１０】
【図１】図１は本発明の実施例１におけるファクシミリ装置の概略を示す構成図である。
【図２】図２は図１のファクシミリ装置１が発信者番号通知サービスを利用する場合の処理シーケンスを示す図である。
【図３】図３は図１の発信者番号取得方法の処理手順を示すフローチャートである。
【発明を実施するための形態】
【００１１】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１２】
（実施例１の構成）
図１（ａ）、（ｂ）は、本発明の実施例１におけるファクシミリ装置の概略を示す構成図であり、同図（ａ）はファクシミリ装置の全体の構成図、及び、同図（ｂ）は同図（ａ）中のプログラムメモリ（例えば、読み出し専用メモリ、以下「ＲＯＭ」という。）の記憶内容を示す図である。
【００１３】
本実施例１のファクシミリ装置１は、加入電話回線交換網である電話回線としての公衆回線４１を介して交換機４２に接続され、且つ、外付けの電話機４３が接続可能な構成になっている。公衆回線４１は、末端に音声端末を繋ぎ、回線交換方式で相手に接続して音声データを授受する電話回線である。ファクシミリ装置１と電話機４３とは、公衆回線４１が提供する発信者番号通知サービスを利用して発信者の電話番号を取得する機能等を有している。ファクシミリ装置１は、装置全体をプログラム制御する制御部１０と、この制御部１０によりそれぞれ制御されるネットワーク・コントロール・ユニット（網制御装置、以下「ＮＣＵ」という。）２０、ファクシミリ通信部としての変調復調装置（以下「モデム」という。）３１、パネル部３２、スキャナ部３３、プリンタ部３４及び電源部３５等と、を備えている。
【００１４】
制御部１０は、演算・制御機能を有する中央処理装置（ＣＰＵ）１１と、プログラムメモリとしてのＲＯＭ１２と、ワーキングデータ等を記憶する読み書き可能なメモリ（以下「ＲＡＭ」という。）１３等と、を有し、これらがシステムバス１４によって相互に接続されている。ＲＯＭ１２は、ファクシミリ装置全体を制御するための制御プログラム１２ａ等を記憶している。制御プログラム１２ａは、監視手段及び受信制御手段等を含む発信者番号情報取得プログラム１２ａ１等を有している。前記監視手段は、電話機４３による発信者番号取得制御を監視する機能を有している。更に、前記受信制御手段は、交換機４２から公衆回線４１を介して送られてくる発信者番号情報（即ち、モデム信号）Ｃ３等をモデム３１にて受信させる機能を有している。
【００１５】
制御部１０内のシステムバス１４には、ＮＣＵ２０、モデム３１、パネル部３２、スキャナ部３３、及びプリンタ部３４が接続されている。
【００１６】
ＮＣＵ２０は、公衆回線４１や電話機４３との接続を制御するものであり、電話端子であるＴＥＬ端子２１と、回線接続端子であるＬＩＮＥ端子２２と、電話機４３の接続／遮断のフック状態を検出するフック検出手段としてのフック検出部２３と、電話機接続手段である第１接続手段としての第１リレー２４と、電源供給手段としての給電部２５と、呼出信号検出手段としての呼出信号検出部２６と、ファクシミリ通信部接続手段である第２接続手段としての第２リレー２７等と、を有している。
【００１７】
ＴＥＬ端子２１は、ＲＪ−１１コネクタであり、これには、外部の電話機４３が接続されている。ＬＩＮＥ端子２２は、電話機コード用コネクタであるＲＪ−１１コネクタであり、これには、外部の公衆回線４１を介して交換機４２が接続されている。
【００１８】
ＴＥＬ端子２１には、内部のフック検出部２３及び第１リレー２４を介して、給電部２５が接続されている。フック検出部２３は、電話機４３による公衆回線４１の閉結又は開放を電流検出の有無により監視し、電話機４３の接続／遮断のフック状態を検出する電流検出器であり、フォトカプラ等で構成されている。第１リレー２４は、電話機４３を公衆回線４１又は給電部２５の何れか一方と接続する３端子のリレー回路である。第１リレー２４において、ファクシミリ装置１の電源がオフ（ＯＦＦ）の状態、及び電源投入時の初期値は、公衆回線４１と接続状態である。給電部２５は、電話機４３が公衆回線４１から切り離された状態（即ち、遮断状態）において、電話機４３のフック状態を検定可能とするための電圧を供給するための電源である。
【００１９】
ＬＩＮＥ端子２２には、内部の第１リレー２４を介してフック検出部２３が接続されると共に、呼出信号検出部２６を介して、第２リレー２７が接続されている。呼出信号検出部２６は、交換機４２から電話回線４１を介して送られてくる呼出信号（ＩＲ）Ｃ５（例えば周波数１６Ｈｚ）を検出する検出器であり、呼出信号検出の有無を監視する。呼出信号（ＩＲ）Ｃ５には、１秒オン（ＯＮ）、２秒オフ（ＯＦＦ）の繰り返しである一般的な呼出信号（ＩＲ）と、０．５秒オン、０．５秒オフの繰り返しである情報受信端末起動信号（ＣＡＲ）Ｃ１を含んでいる。第２リレー２７は、モデム３１を公衆回線４１と接続するリレー回路である。第２リレー２７において、ファクシミリ装置１の電源がオフ状態及び電源投入時の初期値は、開放状態である。
【００２０】
モデム３１は、デジタル信号を伝送路（公衆回線４１）の特性に合わせたアナログ信号に変調して送信すると共に、伝送路（公衆回線４１）からのアナログ信号をデジタル信号に復調して受信する変調復調装置である。公衆回線４１に接続された複数のファクシミリ装置１の間で交換される画像データやファクシミリ制御手順信号は、モデム３１を介して授受される。又、交換機４２から送出される発信者番号情報（モデム信号）Ｃ３も、モデム３１を介して授受される。
【００２１】
パネル部３２は、液晶表示装置（ＬＣＤ）等の表示装置によりファクシミリ装置１の状態等を表示し、ファクシミリ装置１を操作するために必要なテンキー、スタートキー等を備える表示・操作手段である。スキャナ部３３は、原稿を読み取り、ドットイメージデータに変換する装置であり、光／電変換素子である電荷結合素子（ＣＣＤ）等により構成されている。プリンタ部３４は、感熱記録方式、電子写真方式等の印刷装置であり、受信した画像データ等をハードコピーとして出力する機能を有している。電源部３５は、給電部２５を含めたファクシミリ装置１内の各部へ直流の電源電圧を供給するものである。
【００２２】
（発信者番号情報取得シーケンス）
図２は、図１のファクシミリ装置１が発信者番号通知サービスを利用する場合に交換機４２との間で実行する処理シーケンスを示す図である。
【００２３】
図２の処理シーケンスでは、以下の手順（１）〜（４）が実行される。
（１）  ファクシミリ装置１（情報受信端末）の起動
交換機４２は、ファクシミリ装置１を起動するために、情報受信端末起動信号（ＣＡＲ）Ｃ１を送出する。
【００２４】
（２）  情報の送出
交換機４２は、ファクシミリ装置１から１次応答信号（直流ループ）Ｃ２を受信すると、発信者番号情報（モデム信号）Ｃ３を送出する。
【００２５】
（３）  ファクシミリ装置１（情報受信端末）の呼出
交換機４２は、ファクシミリ装置１からの受信完了信号（直流ループ断）Ｃ４を受信すると、呼出信号（ＩＲ）Ｃ５を送出する。この時同時に、発信側へ呼出音を送出する。
【００２６】
（４）  通信状態
交換機４２は、ファクシミリ装置１からの２次応答信号（直流ループ）Ｃ６を受信すると、通信パスを形成する。これにより、ファクシミリ通信又は電話機４３による通信Ｃ７が可能になる。
【００２７】
（ファクシミリ装置の発信者番号取得方法）
図３は、図１のファクシミリ装置１における発信者番号取得方法の処理手順を示すフローチャートである。
【００２８】
図３を参照して、交換機４２から公衆回線４１を介して送られてくる発信者番号情報（モデム信号）Ｃ３を取得する場合の発信者番号取得方法の処理手順（ステップＳ１〜Ｓ２１）について説明する。
【００２９】
本処理手順のフローチャートは、ＲＯＭ１２内の発信者番号情報取得プログラム１２ａ１に従って制御部１０により実行され、ファクシミリ装置１にて発信者番号情報取得設定がオン状態に変更された場合、及び、発信者番号情報取得設定がオン状態で電源が投入された場合に開始され、ステップＳ１へ遷移する。
【００３０】
ステップＳ１において、制御部１０は、第２リレー２７を開放状態に設定し、公衆回線４１とファクシミリ装置１の間で直流ループが切断された状態にし、ステップＳ２へ遷移する。ステップＳ２において、制御部１０は、第１リレー２４を給電部２５に対して接続状態に設定し、電話機４３を公衆回線４１に対して未接続状態（即ち、遮断状態）にし、ステップＳ３へ遷移する。
【００３１】
ステップＳ３において、呼出信号検出部２６は、公衆回線４１から送られてくる情報受信端末起動信号（ＣＡＲ）Ｃ１を検出したか否かを判定し、情報受信端末起動信号（ＣＡＲ）Ｃ１を検出した場合は（Ｙｅｓ）、制御部１０によってステップＳ７へ遷移し、情報受信端末起動信号（ＣＡＲ）Ｃ１を検出していない場合は（Ｎｏ）、制御部１０によってステップＳ４へ遷移する。
【００３２】
ステップＳ４において、フック検出部２３は、電話機４３のオフフック状態（ＯＦＦ  Ｈｏｏｋ、回線断）を検出したか否かを判定し、オフフック状態を検出した場合は（Ｙｅｓ）、制御部１０によってステップＳ５へ遷移し、オフフック状態を検出しない場合は（Ｎｏ）、制御部１０によってステップＳ３へ戻る。ステップＳ５において、制御部１０は、第１リレー２４をＬＩＮＥ端子２１側に切り替え、フック検出部２３を公衆回線４１に対して接続状態に設定する。これにより、ファクシミリ装置１は、外付け電話機４３の使用中の状態となる。ファクシミリ装置１は、外付け電話機４３の使用中状態の終了を監視するため、ステッＳ６へ遷移する。
【００３３】
ステップＳ６において、フック検出部２３は、電話機４３のオンフック状態（ＯＮ  Ｈｏｏｋ、回線接続）を検出したか否かを判定し、オンフック状態を検出した場合は（Ｙｅｓ）、制御部１０によってステップＳ２へ戻り、オンフック状態を検出しない場合は（Ｎｏ）、テップＳ６の判定処理を繰り返す。
【００３４】
ステップＳ３の判定結果がイエス（Ｙｅｓ）の場合、ステップＳ７において、制御部１０は、第１リレー２４をＬＩＮＥ端子２１側に切り替え、公衆回線４１に対して接続状態に設定し、電話機４３にて情報受信端末起動信号（ＣＡＲ）Ｃ１を検出可能な状態にする。このステップＳ７の終了後、制御部１０によって、電話機４３にて実行される発信者番号情報（モデム信号）Ｃ３の取得処理シーケンスの監視状態となり、ステップＳ８へ遷移する。
【００３５】
ステップＳ８において、フック検出部２３は、電話機４３にて情報受信端末起動信号（ＣＡＲ）Ｃ１に対する応答となる１次応答信号（直流ループ）Ｃ２が送出されたか否かを判定し、電話機４３のオフフック（ＯＦＦ  Ｈｏｏｋ）を検出した場合、１次応答信号（直流ループ）Ｃ２が送出されたと判断し（Ｙｅｓ）、制御部１０によりステップＳ９へ遷移し、電話機４３のオフフック（ＯＦＦ  Ｈｏｏｋ）を検出しない場合（Ｎｏ）、１次応答信号（直流ループ）Ｃ２が未送出と判断し、制御部１０によりステップＳ１５へ遷移する。
【００３６】
ステップＳ９において、制御部１０は、第２リレー２７を閉結状態に設定し、モデム３１及び電話機４３が、公衆回線４１に対して並列に接続された状態とする。これにより、交換機４２から公衆回線４１を介して送出される発信者番号情報（モデム信号）Ｃ３を、モデム３１にて受信可能となる。電話機４３では、ステップＳ７にて受信可能になっている。ステップＳ１０において、制御部１０は、モデム３１に対して、発信者番号情報（モデム信号）Ｃ３を受信するための一連の設定、主として、モデム３１の動作モードをＩＴＵ−Ｔ（International  Telecommunication  Union  Telecommunication  Standardization  Sector）勧告Ｖ．２３（データ通信規格  （６００／１２００ｂｐｓ  半二重））の受信モードに設定し、ステップＳ１１へ遷移する。
【００３７】
ステップＳ１１において、モデム３１は、発信者番号情報（モデム信号）Ｃ３の受信を行う。受信したデータは、制御部１０により、発信者番号情報Ｃ３としてＲＡＭ３への保存も同時に行われ、ステップＳ１２へ遷移する。ステップＳ１２において、制御部１０は、第２リレー２７を開放状態に設定し、モデム３１を公衆回線４１に対して未接続状態にし、ステップＳ１３へ遷移する。
【００３８】
ステップＳ１３において、フック検出部２３は、電話機４３にて受信完了信号（直流ループ断）Ｃ４が送出されたか否かを判定し、電話機４３のオンフック（ＯＮ  Ｈｏｏｋ）を検出した場合（Ｙｅｓ）、受信完了信号（直流ループ断）Ｃ４が送出されたと判断し、ステップＳ１４へ遷移する。これに対して、フック検出部２３は、電話機４３のオンフック（ＯＮ  Ｈｏｏｋ）を検出しない場合（Ｎｏ）、受信完了信号（直流ループ断）Ｃ４が未送出と判断し、ステップＳ１３の判定処理を繰り返す。
【００３９】
ステップＳ１４において、制御部１０は、第１リレー２４を給電部２５に対して接続状態に設定し、電話機４３を公衆回線４１に対して未接続状態にする。本処理（ステップＳ７〜Ｓ１４）の終了後、制御部１０は、呼出信号（ＩＲ）Ｃ５の検出待ち処理であるステップＳ２１へ移行する。
【００４０】
前記ステップＳ８の判定結果がＮｏの場合、ステップＳ１５において、制御部１０は、電話機４３にて発信者番号取得処理が実施されないことを判定するため、ステップＳ３にて情報受信端末起動信号（ＣＡＲ）Ｃ１を検出してからの所定時間である経過時間（即ち、規定時間）ｔ０で判断する。制御部１０は、例えば、情報受信端末起動信号（ＣＡＲ）Ｃ１を検出してからの規定時間ｔ０が５秒以上の場合（Ｙｅｓ）、電話機４３にて発信者番号取得処理が実施されないと判断し、ステップＳ１６へ遷移する。これに対して、制御部１０は、情報受信端末起動信号（ＣＡＲ）Ｃ１を検出してからの規定時間ｔ０が５秒未満の場合（Ｎｏ）、電話機４３による発信者番号取得処理の実施待ちと判断し、ステップＳ８へ戻る。
【００４１】
ステップＳ１６において、制御部１０は、第１リレー２４を給電部２５に対して接続状態に設定し、電話機４３を公衆回線４１に対して未接続状態にし、ステップＳ１７へ遷移する。ステップＳ１７において、制御部１０は、交換機４２に対して情報受信端末起動信号（ＣＡＲ）Ｃ１に対する応答となる１次応答信号（直流ループ）Ｃ２を送出するために、第２リレー２７を閉結状態に設定し、モデム３１を公衆回線４１に対して接続状態にすることで、交換機４２とファクシミリ装置１との間で直流ループを形成させ、ステップＳ１８へ遷移する。
【００４２】
ステップＳ１８において、制御部１０は、ステップＳ１０の処理と同様に、モデム３１に対して、発信者番号情報（モデム信号）Ｃ３を受信するための一連の設定、主として、モデム３１の動作モードをＩＴＵ−Ｔ勧告Ｖ．２３の受信モードに設定し、ステップＳ１９へ遷移する。ステップＳ１９において、モデム３１は、ステップＳ１１の処理と同様に、発信者番号情報（モデム信号）Ｃ３の受信処理を行う。同時に、制御部１０は、モデム３１で受信されたデータを発信者番号情報Ｃ３としてＲＡＭ３へ保存させ、ステップＳ２０へ遷移する。
【００４３】
ステップＳ２０において、制御部１０は、交換機４２に対して受信完了信号（直流ループ断）Ｃ４を送出するために、第２リレー２７を開放状態に設定し、モデム３１を公衆回線４１に対して未接続状態にすることで、交換機４２とファクシミリ装置１との間で形成されていた直流ループを切断状態にする。本処理終了後、呼出信号（ＩＲ）Ｃ５の検出待ち処理のステップＳ２１へ移行する。
【００４４】
以上の処理（ステップＳ１５〜Ｓ２０）を実行することにより、ファクシミリ装置１は、交換機４２から送られてくる発信者番号情報Ｃ３を取得し、ＲＡＭ３へ記憶することが可能となり、当該発信者番号情報Ｃ３を利用する様々なサービスを実施することが可能となる。
【００４５】
なお、本制御フローチャートのステップＳ１５では、情報受信端末起動信号（ＣＡＲ）Ｃ１を検出してからの規定時間ｔ０を５秒としているが、当該規定時間ｔ０は、０秒〜６秒までの間でユーザにより設定及び変更が可能なパラメータとしても良い。
【００４６】
（実施例１の効果）
本実施例１のファクシミリ装置１及びその発信者番号取得方法によれば、次の（ａ）、（ｂ）のような効果がある。
【００４７】
（ａ）  外付け電話として接続された電話機４３に発信者番号取得制御を実行させ、電話機４３と公衆回線４１との間で実行される発信者番号取得シーケンスを制御部１０で監視し、交換機４２から公衆回線４１を介して送られてくる発信者番号情報Ｃ３を、電話機４３と並列に接続されたモデム３１にて受信を行うようにしている（図３のステップＳ７〜Ｓ１４）。これにより、ファクシミリ装置１と電話機４３の双方で発信者番号情報Ｃ３の取得が可能になる。
【００４８】
（ｂ）  外付け電話として接続された電話機４３が発信者番号取得制御を実行しない場合は、ファクシミリ装置１が発信者番号取得制御を行うことで（図３のステップＳ１５〜Ｓ２０）、発信者番号情報Ｃ３の確実な取得が可能になる。
【００４９】
（変形例）
本発明は、上記実施例に限定されず、種々の利用形態や変形が可能である。この利用形態や変形例としては、例えば、次の（Ａ）、（Ｂ）のようなものがある。
【００５０】
（Ａ）  図３のフローチャーチの処理手順は、変更が可能である。例えば、ステップＳ１５〜Ｓ２０を削除し、ステップＳ８の判定結果がＮｏの場合は、判定結果がＹｅｓになるまで待つ、という処理手順に変更しても良い。このように変更しても、実施例１の効果（ａ）を奏することができる。
【００５１】
（Ｂ）  実施例１では、本発明をファクシミリ装置１に適用した例を説明したが、ファクシミリ通信機能を備えた複合装置（MultiFunction  Printer/Product/Peripheral；ＭＦＰ）等にも適用可能である。
【符号の説明】
【００５２】
１      ファクシミリ装置
１０      制御部
１２ａ      制御プログラム
１２ａ１      発信者番号情報取得プログラム
２０      ＮＣＵ（網制御装置）
２３      フック検出部
２４      第１リレー
２５      給電部
２６      呼出検出部
２７      第２リレー
３１      モデム
【図１】
2016116005.tif 000003
【図２】
2016116005.tif 000004
【図３】
2016116005.tif 000005